(57)【要約】【課題】音声会議装置に設けられた複数のマイクユニットや複数のスピーカユニットの状態を、専用の検査治具が無くても簡単に判定できる音声会議装置を提供する。【解決手段】音声会議装置１は、操作部４でテストモードを受け付けると、複数のスピーカユニットＳＰ１〜ＳＰ１２から順番に異なるテスト音声を放音させ、また、どのスピーカユニットから音声を放音しているのかを表示部７に表示させる。また、音声会議装置１では、複数のスピーカユニットＳＰ１〜ＳＰ１２について、順番に２つずつ隣接するスピーカユニットを選択して同時に同じ音声を放音させて、それらの間のマイクユニットで収音させたり、テスト音声を放音するスピーカユニットに対して対称に配置されている２つのマイクユニットが収音した音声信号を加算したりする。【選択図】図７
2007318551.tif 000002
【特許請求の範囲】
【請求項１】
複数のスピーカユニットを配列して成るスピーカアレイと、
複数のマイクユニットを配列して成るマイクアレイと、
前記マイクアレイが収音した音声信号を相手装置に送信するとともに、前記相手装置からの音声信号を受信する通信部と、
前記通信部が受信した音声信号を前記スピーカアレイに入力するスピーカ制御部と、
テストモードの実行を受け付ける操作部と、
前記操作部がテストモードの実行を受け付けると、テスト音声信号を生成するとともに、前記スピーカアレイの各スピーカユニットに、このテスト音声信号を順次入力するテスト部と、
を備えたことを特徴とする音声会議装置。
【請求項２】
前記スピーカアレイは、前記複数のスピーカユニットをライン状に配列した構成であり、
前記テスト部は、前記スピーカアレイの一端から他端に向けて１または複数のスピーカユニット毎に、順次テスト音声信号を入力する請求項１に記載の音声会議装置。
【請求項３】
前記テスト部は、前記スピーカユニットにテスト音声を入力する処理と並行して、前記マイクアレイが収音した音声信号を取り込み、この音声信号に基づいて、各スピーカユニットが正常に放音するか否かを判定する請求項１または２に記載の音声会議装置。
【請求項４】
前記テスト部は、隣接する２つのスピーカユニット毎に順次テスト音声信号を入力し、
前記マイクアレイが収音した音声信号に基づいて前記２つのスピーカユニットの接続が逆極性であるか否かを判定する請求項１乃至３のいずれかに記載の音声会議装置。
【請求項５】
前記テスト部は、前記テスト音声信号として、音階またはメロディを生成する請求項１乃至４のいずれかに記載の音声会議装置。
【請求項６】
前記テスト部は、前記マイクアレイの各マイクユニットが収音した音声信号に基づき、各マイクユニットが正常に収音するか否かを判定する請求項１乃至５のいずれかに記載の音声会議装置。
【請求項７】
前記テスト部は、前記テスト音声信号が入力されるスピーカユニットに対して対称に配置されている２つのマイクユニットが収音した音声信号を加算し、この加算した音声信号に基づいて、両マイクユニットの接続が逆極性であるか否かを判定する請求項１乃至６のいずれかに記載の音声会議装置。
【発明の詳細な説明】
【技術分野】
【０００１】
本発明は、複数の地点間で音声会議を行う際に使用する音声会議装置に設けられたスピーカユニット及びマイクユニットの検査機能に関する。
【背景技術】
【０００２】
従来、離れた地点間で打ち合わせをする際には、一般的に電話機が用いられる。しかし、複数の地点間や多人数で会議を行う際には、電話機は不向きである。そこで、従来、複数の地点間や多人数で会議を行うための装置として、音声会議装置が提案されている（非特許文献１参照。）。
【０００３】
非特許文献１の音声会議装置は、マイクアレイによる話者追尾で、周囲の雑音を拾わずクリアな音声を収音して、その音声信号を別の音声会議装置に送信し、別の音声会議装置から送られてきた音声信号をスピーカアレイで音声波面を合成して、明瞭な音声を再生する。そのため、マイクアレイやスピーカアレイのいずれかのマイクやスピーカが故障すると、収音や放音のバランスが崩れてしまい、会議参加者に違和感を与えてしまう。
【０００４】
このような問題の発生を防止するために、メーカでは、出荷時に試験装置を用いて音声会議装置のスピーカアレイやマイクアレイの検査を行っている。スピーカを検査するための装置としては、従来、スピーカの動作試験と極性判定とを同時に行うスピーカ試験装置があった（特許文献１参照）。
【非特許文献１】YAMAHA News Release  ヤマハ  テレカンファレンスシステム“プロジェクトフォン”『PJP-100H』/『PJP-100UH』、［online］、２００６年３月１０日、ヤマハ株式会社、［平成１８年５月２３日検索］、インターネット＜http://www.yamaha.co.jp/news/2006/06031002.html＞
【特許文献１】実開平６−１９３９２号公報
【発明の開示】
【発明が解決しようとする課題】
【０００５】
上記従来のスピーカ試験装置を、音声会議装置の検査治具として使用する場合には、音声会議装置をスピーカ試験装置に接続して使用する必要があった。そのため、検査員は、音声会議装置の出荷検査時に、スピーカ試験装置に音声会議装置を接続したり取り外したりしなければならず、検査効率が良くなかった。また、サービスマンは、音声会議装置がユーザの使用中に故障した場合等には、ユーザのところに検査治具を持ち込んで動作確認を行わないと、故障したスピーカを特定できなかった。さらに、ユーザは、音声会議装置の使用中に違和感を持った場合等には、音声会議装置に設けられた複数のマイクユニットやスピーカユニットについて個別に動作を確認できないので、これらが故障しているのか否かを判定できなかった。
【０００６】
そこで、本発明は、音声会議装置に設けられた複数のマイクユニットや複数のスピーカユニットの状態を、専用の検査治具が無くても簡単に判定できる音声会議装置を提供することを目的とする。
【課題を解決するための手段】
【０００７】
この発明は、上記の課題を解決するための手段として、以下の構成を備えている。
【０００８】
（１）複数のスピーカユニットを配列して成るスピーカアレイと、
複数のマイクユニットを配列して成るマイクアレイと、
前記マイクアレイが収音した音声信号を相手装置に送信するとともに、前記相手装置からの音声信号を受信する通信部と、
前記通信部が受信した音声信号を前記スピーカアレイに入力するスピーカ制御部と、
テストモードの実行を受け付ける操作部と、
前記操作部がテストモードの実行を受け付けると、テスト音声信号を生成するとともに、前記スピーカアレイの各スピーカユニットに、このテスト音声信号を順次入力するテスト部と、
を備えたことを特徴とする。
【０００９】
この構成においては、音声会議装置は、操作部でテストモードの実行を受け付けると、スピーカアレイの各スピーカユニットに順次テスト音声信号を入力して、各スピーカユニットからテスト音声を放音する。したがって、ユーザやサービスマンは、操作部を操作してテストモードを開始し、スピーカアレイの各スピーカユニットから順次放音されるテスト音声を聞くことで、各スピーカユニットが正常に放音するか否かを確認できる。
【００１０】
（２）前記スピーカアレイは、前記複数のスピーカユニットをライン状に配列した構成であり、
前記テスト部は、前記スピーカアレイの一端から他端に向けて１または複数のスピーカユニット毎に、順次テスト音声信号を入力することを特徴とする。
【００１１】
この構成においては、テスト部は、テストモードの実行を操作部が受け付けると、スピーカアレイの一端から他端に向けて１または複数のスピーカユニット毎に順次テスト音声信号を入力して、各スピーカユニットからテスト音声を放音させる。したがって、ユーザやサービスマンは、各スピーカユニットから順次放音されるテスト音声を耳で確認することで、各スピーカユニットが正常に放音するか否かを容易に把握でき、いずれかのスピーカユニットの調子が悪い場合には、そのスピーカユニットを直ちに特定できる。また、音声会議装置において複数のスピーカユニットから同時に同じテスト音声を放音させると、いずれかのスピーカユニットが逆極性に接続されている場合には、このスピーカユニットから放音される音声だけが逆位相なので、各スピーカユニットから放音された合成音声は、小さく聞こえる。したがって、検査員は、各スピーカユニットから順次放音されるテスト音声を耳で確認することで、同時に音声を放音させた複数のスピーカユニットのいずれかが逆極性に接続されていることを検出できる。
【００１２】
（３）前記テスト部は、前記スピーカユニットにテスト音声を入力する処理と並行して、前記マイクアレイが収音した音声信号を取り込み、この音声信号に基づいて、各スピーカユニットが正常に放音するか否かを判定することを特徴とする。
【００１３】
この構成においては、音声会議装置は、テストモード時にはスピーカユニットが放音した音声をマイクアレイで収音して、正常に放音していることを判定する。したがって、音声会議装置の各スピーカユニットが放音した音声を耳で確認しなくても、各スピーカユニットの状態を判定できる。
【００１４】
（４）前記テスト部は、隣接する２つのスピーカユニット毎に順次テスト音声信号を入力し、
前記マイクアレイが収音した音声信号に基づいて前記２つのスピーカユニットの接続が逆極性であるか否かを判定することを特徴とする。
【００１５】
２つのスピーカユニットの一方が逆極性に接続されている場合、２つのスピーカユニットから同時に同じ音声を放音させると、一方のスピーカユニットからは逆位相の音声が放音されるので、２つのスピーカユニットから放音された音声は打ち消し合って小さくなる。この構成においては、隣接する２つのスピーカユニット毎に順次テスト音声信号を入力し、２つのスピーカユニットから放音された音声をマイクアレイで収音する。したがって、音声会議装置の各スピーカユニットが放音した音声を耳で確認しなくても、各スピーカユニットの極性を判定できる。
【００１６】
（５）前記テスト部は、前記テスト音声信号として、音階またはメロディを生成することを特徴とする。
【００１７】
この構成においては、音声会議装置は、操作部でテストモードの実行を受け付けると、スピーカアレイの各スピーカユニットからテスト音声として、音階またはメロディを放音させる。したがって、ユーザやサービスマンは、スピーカアレイの各スピーカユニットから放音される音階またはメロディを耳で確認することで、どのスピーカユニットに異常があるかを容易に判断できる。また、各スピーカユニットが放音した音声をマイクアレイで収音する場合でも、スピーカユニット毎に異なる音が放音されるので、各スピーカユニットが正常に放音するか否かの判定が容易になる。
【００１８】
（６）前記テスト部は、前記マイクアレイの各マイクユニットが収音した音声信号に基づき、各マイクユニットが正常に収音するか否かを判定することを特徴とする。
【００１９】
この構成においては、音声会議装置は、各スピーカユニットから放音されたテスト音声をマイクアレイの各マイクユニットで収音して、各マイクユニットが正常に収音するか否かを判定する。したがって、マイクユニットが故障した場合には、マイクユニットが出力する音声信号は正常時と異なるので、音声会議装置はマイクユニットの状態を容易に判定できる。
【００２０】
（７）前記テスト部は、前記テスト音声信号が入力されるスピーカユニットに対して対称に配置されている２つのマイクユニットが収音した音声信号を加算し、この加算した音声信号に基づいて、両マイクユニットの接続が逆極性であるか否かを判定することを特徴とする。
【００２１】
２つのマイクユニットの一方が逆極性に接続されている場合には、スピーカユニットに対して対称に配置された２つのマイクユニットが収音したテスト音声信号を加算すると、一方のマイクユニットは逆位相の音声信号を出力するので、両音声信号を加算すると打ち消し合って、音声信号のレベルが小さくなる。この構成においては、マイクテスト部は、前記スピーカアレイの２つのスピーカユニットに対して対称に配置されている２つのマイクユニットでテスト音声を収音してそれらを加算し、その加算した音声信号に基づいてマイクユニットが逆極性に接続されているか否かを判定する。したがって、マイクユニットの一方が逆極性に接続されていた場合には、加算した音声信号のレベルが小さくなるので、音声会議装置はマイクユニットの接続状態を容易に判定できる。
【発明の効果】
【００２２】
本発明の音声会議装置は、操作部でテストモードの実行を受け付けると、複数のスピーカユニットから順番に異なるテスト音声を放音させるので、ユーザはスピーカユニットから音声が放音されなかったり音量が小さかったりした場合には、どのスピーカユニットが故障しているのかを簡単に特定できる。
【００２３】
また、音声会議装置では、複数のスピーカユニットについて、順番に２つずつ隣接するスピーカユニットを選択して同時に同じ音声を放音させて、それらの中間のマイクユニットで収音させたり、テスト音声を放音するスピーカユニットに対して対称に配置されている２つのマイクユニットが収音した音声信号を加算したりするので、スピーカユニットの極性を誤って接続している場合には、２つのスピーカユニットから放音された音声は打ち消し合ってレベルが小さくなるので、容易に検出できる。また、マイクの極性を誤って接続している場合には、２つのマイクが収音した音声信号を合成すると、打ち消し合ってレベルが小さくなるので、マイクの誤接続を容易に検出できる。
【発明を実施するための最良の形態】
【００２４】
図１は、音声会議装置の外観を表す三面図であり、（Ａ）が平面図、（Ｂ）が正面図（長尺の側面側から見た図）、（Ｃ）が右側面図（短尺側の側面から見た図）である。図２は、図１に示す音声会議装置のスピーカユニット配列及びマイクユニット配列を示した図であり、（Ａ）が正面図（図１（Ｂ）に相当）、（Ｂ）が底面図、（Ｃ）が背面図（図２（Ａ）に示す正面と反対側の面）である。
【００２５】
図１，２に示すように、音声会議装置１は、筐体２、脚部３、操作部４、発光部５、表示部７、及び入出力コネクタ１１を備える。
【００２６】
筐体２は、概ね直方体形状であり、下面２Ｋの両端部には、下面２Ｋを机などの設置面から一定距離離間する脚部３（３Ａ，３Ｂ）が設けられている。
【００２７】
なお、以下の説明では、筐体２の側面のうち、長尺な辺を含む前後の側面を前側面２Ｍ・後側面２Ｕ、短尺な辺を含む左右の側面を右側面２Ｒ・左側面２Ｌと称する。
【００２８】
筐体２の上面２Ｊの右側端部には、複数のボタンから成る操作部４及び表示画面を備えた表示部７が設置されている。操作部４は、筐体２内に設置された制御部１０に接続されており、ユーザの操作入力を受け付けて、制御部１０に信号を出力する。また、制御部１０は、操作部４から入力された信号に応じた制御信号を表示部７に出力して、操作部４に隣接する表示部７に操作内容や実行モード等に応じた内容を表示させる。
【００２９】
筐体２の上面２Ｊの中央には、一点を中心として放射状に配置された複数のＬＥＤ（発光素子）から成る発光部５が設置されている。
【００３０】
筐体２の右側面２Ｒには、入出力コネクタ１１が設置されている。また、音声会議装置１では、入出力コネクタ１１のＬＡＮインタフェースにネットワークケーブルを装着し、インターネット等のネットワークを介して他の音声会議装置と接続し、所定の通信設定を行うことで、音声データのやりとりを行うことができる。
【００３１】
筐体２の下面２Ｋには、同形状のスピーカユニットＳＰ１〜ＳＰ１２が設置されている。スピーカユニットＳＰ１〜ＳＰ１２は、下面２Ｋの長尺方向に一定の間隔で直線状（ライン状）に設置され、スピーカアレイを構成する。筐体２の前側面２Ｍには、同形状のマイクユニットＭＩＣ１０１〜ＭＩＣ１１６が設置されている。マイクユニットＭＩＣ１０１〜ＭＩＣ１１６は、前側面２Ｍの長尺方向に一定の間隔で直線状（ライン状）に設置され、マイクアレイを構成する。また、筐体２の後側面２Ｕには、同形状のマイクユニットＭＩＣ２０１〜ＭＩＣ２１６が設置されている。マイクユニットＭＩＣ２０１〜ＭＩＣ２１６は、後側面２Ｕの長尺方向に一定の間隔で直線状（ライン状）に設置され、マイクアレイを構成する。
【００３２】
次に、音声会議装置１の回路構成について説明する。図３は、音声会議装置の機能ブロック図である。
【００３３】
音声会議装置１は、図３に示すように、操作部４、表示部７、制御部１０、入出力コネクタ１１、入出力Ｉ／Ｆ（インタフェース）１２、放音指向性制御部１３、Ｄ／Ａコンバータ１４（１４−１〜１４−１２）、放音用アンプ１５（１５−１〜１５−１２）、スピーカアレイを構成するスピーカユニットＳＰ１〜ＳＰ１２、マイクアレイを構成するマイクユニットＭＩＣ１０１〜ＭＩＣ１１６及びＭＩＣ２０１〜ＭＩＣ２１６、収音用アンプ１６（１６−１〜１６−３２）、Ａ／Ｄコンバータ１７（１７−１〜１７−３２）、収音ビーム生成部１８１、収音ビーム生成部１８２、収音ビーム選択部１９、並びにエコーキャンセル部２０を備える。
【００３４】
入出力Ｉ／Ｆ１２は、入出力コネクタ１１を介して入力された他の音声会議装置からの入力音声信号を、ネットワークに対応するデータ形式（プロトコル）から変換して、エコーキャンセル部２０を介して放音指向性制御部１３に与える。この際、入出力Ｉ／Ｆ１２は、他の複数の音声会議装置から入力音声信号を受信すると、これらを音声会議装置毎に識別して、それぞれ異なる伝送経路でエコーキャンセル部２０を介して放音指向性制御部１３に与える。また、入出力Ｉ／Ｆ１２は、エコーキャンセル部２０で生成される出力音声信号をネットワークに対応するデータ形式（プロトコル）に変換して、入出力コネクタ１１を介して、ネットワークに送信する。
【００３５】
放音指向性制御部１３は、指定された放音指向性に基づいて、スピーカアレイを構成する各スピーカユニットＳＰ１〜ＳＰ１２にそれぞれ固有の遅延処理及び振幅処理等を入力音声信号に対して行い、個別に放音信号を生成する。ここで、放音指向性としては、音声会議装置１の筐体２の長尺方向における所定位置で放音音声を収束させるものや、仮想点音源を設定して当該仮想点音源から放音音声を発散させるものがあり、これら放音指向性をスピーカユニットＳＰ１〜ＳＰ１２からの放音音声で実現するような個別放音信号が生成される。
【００３６】
そして、放音指向性制御部１３は、これら個別放音信号をスピーカユニットＳＰ１〜ＳＰ１２毎に設置されたＤ／Ａコンバータ１４（１４−１〜１４−１２）に出力する。各Ｄ／Ａコンバータ１４（１４−１〜１４−１２）は、個別放音信号をアナログ形式に変換して各放音用アンプ１５（１５−１〜１５−１２）に出力し、各放音用アンプ１５（１５−１〜１５−１２）は、個別放音信号を増幅してスピーカユニットＳＰ１〜ＳＰ１２に与える。
【００３７】
スピーカユニットＳＰ１〜ＳＰ１２は、無指向性のスピーカユニットから成り、与えられた個別放音信号を音声変換して外部に放音する。この際、スピーカユニットＳＰ１〜ＳＰ１２は、筐体２の下面に設置されているので、放音された音声は、音声会議装置１が設置される机の設置面で反射して、音声会議装置１の前側面２Ｍ・後側面２Ｕの下端と前記設置面の間を通過して斜め上方、つまり、机の横に座っている会議参加者の顔の方向に向かって伝搬する。
【００３８】
マイクアレイを構成する各マイクユニットＭＩＣ１０１〜ＭＩＣ１１６、及びＭＩＣ２０１〜ＭＩＣ２１６は、音声会議装置１の外部から伝搬する音声を収音して電気信号に変換して、収音信号を各収音用アンプ１６（１６−１〜１６−３２）に出力する。各収音用アンプ１６（１６−１〜１６−３２）は、収音信号を増幅してそれぞれＡ／Ｄコンバータ１７（１７−１〜１７−３２）に出力する。各Ａ／Ｄコンバータ１７（１７−１〜１７−３２）は、各収音用アンプ１６（１６−１〜１６−３２）から入力されたアナログの収音信号をデジタルの収音信号に変換して収音ビーム生成部１８１，１８２に出力する。
【００３９】
収音ビーム生成部１８１は、各マイクユニットＭＩＣ１０１〜ＭＩＣ１１６の収音信号に対して所定の遅延処理等を行い、収音ビーム信号ＭＢ１１〜ＭＢ１４を生成する。
【００４０】
収音ビーム生成部１８２は、各マイクユニットＭＩＣ２０１〜ＭＩＣ２１６の収音信号に対して所定の遅延処理等を行い、収音ビーム信号ＭＢ２１〜ＭＢ２４を生成する。
【００４１】
収音ビーム選択部１９は、収音ビーム信号ＭＢ１１〜ＭＢ１４，ＭＢ２１〜ＭＢ２４を入力して信号強度を比較、予め設定した所定条件に適合する収音ビーム信号ＭＢを選択する。また、収音ビーム選択部１９は、選択した特定収音ビーム信号ＭＢに対応する収音方向（収音指向性）を含む収音環境情報を制御部１０に出力する。制御部１０はこの収音環境情報に基づき、話者方向を特定し、放音指向性制御部１３に与える放音指向性を設定する。また、収音ビーム選択部１９は、不図示の周波数検出回路を備えており、各マイクユニットＭＩＣ１０１〜ＭＩＣ１１６，ＭＩＣ２０１〜ＭＩＣ２１６の収音信号の周波数を検出する。
【００４２】
エコーキャンセル部２０は、それぞれに独立なエコーキャンセラ２１〜２３が設置されており、これらが直列接続された構造から成り、エコーキャンセル処理を行うことにより、適切なエコー除去が行われ、自装置の話者音声のみが出力音声信号として、ネットワークに送信される。
【００４３】
次に、音声会議装置１の各スピーカユニットＳＰ１〜ＳＰ１２、及びマイクユニットＭＩＣ１０１〜ＭＩＣ１１６・ＭＩＣ２０１〜ＭＩＣ２１６の状態を検査する構成について説明する。
【００４４】
図４は、スピーカユニットにテスト音声を入力するテスト回路の構成を示すブロック図である。図４（Ａ）に示すように、放音指向性制御部１３は、複数の信号処理部３１（３１−１〜３１−１２）から成る。信号処理部３１（３１−１〜３１−１２）は、それぞれビーム制御ブロック３２（３２−１〜３２−１２）、テスト用信号発生回路３３（３３−１〜３３−１２）、及び切り替えスイッチ３４（３４−１〜３４−１２）を備えている。
【００４５】
ビーム制御ブロック３２（３２−１〜３２−１２）は、指定された放音指向性に基づいて、スピーカアレイを構成する各スピーカユニットＳＰ１〜ＳＰ１２にそれぞれ固有の遅延処理及び振幅処理等を入力音声信号に対して行い、個別に放音信号を生成する。
【００４６】
テスト用信号発生回路３３（３３−１〜３３−１２）は、各スピーカユニットＳＰ１〜ＳＰ１２を検査するためのテスト用音声信号を生成する。テスト用信号発生回路３３は、制御部１０から制御信号が送られてくると、テスト用音声信号を生成する。
【００４７】
切り替えスイッチ３４（３４−１〜３４−１２）は、制御部１０から送られてきた制御信号に応じて、ビーム制御ブロック３２（３２−１〜３２−１２）またはテスト用信号発生回路３３（３３−１〜３３−１２）を、Ｄ／Ａコンバータ１４（１４−１〜１４−１２）に接続する。
【００４８】
また、放音指向性制御部１３は、図４（Ｂ）に示すような構成でも良い。
【００４９】
放音指向性制御部１３は、複数のビーム制御ブロック４１（４１−１〜４１−１２）、テスト用信号発生回路４２を備えている。
【００５０】
ビーム制御ブロック４１（４１−１〜４１−１２）は、それぞれ遅延処理を行う遅延処理部４１１（４１１−１〜４１１−１２）と、振幅処理を行うゲイン調整部４１２（４１２−１〜４１２−１２）を備えており、制御部１０からの制御信号に応じて、音声信号の遅延量や振幅量（ゲイン）を変更して、音声信号を出力する。
【００５１】
テスト用信号発生回路４２は、制御部１０から制御信号が送られてくると、各スピーカユニットＳＰ１〜ＳＰ１２を検査するためのテスト用音声信号を生成する。
【００５２】
制御部１０は、放音指向性制御部１３が図４（Ｂ）に示した構成の場合、テストモードが設定されると、テスト用信号発生回路４２に制御信号を出力してテスト音声信号を生成させるとともに、ゲイン調整部４１２−１〜４１２−１２に対してそれぞれゲインを調整する制御信号を出力して、各スピーカユニットＳＰ１〜ＳＰ１２から順番にテスト音声を放音させる。例えば、スピーカユニットＳＰ１からテスト音声を放音させる場合には、ゲイン調整部４１２−１のゲインを一定値に設定する制御信号を出力するとともに、他のゲイン調整部４１２−２〜４１２−１２に対してゲインを０に設定する制御信号を出力する。また、制御部１０は、各スピーカユニットから順番にテスト音声を放音させる際には、各遅延処理部４１１−１〜４１１−１２に対しては遅延処理を実行させる制御信号を出力しない。
【００５３】
次に、音声会議装置１の各スピーカユニットＳＰ１〜ＳＰ１２、及びマイクユニットＭＩＣ１０１〜ＭＩＣ１１６・ＭＩＣ２０１〜ＭＩＣ２１６の状態を検査するときの動作について説明する。なお、以下の説明では、放音指向性制御部１３が、図４（Ａ）の構成の場合について説明する。
【００５４】
音声会議装置１は、簡易検査モードと自動検査モードの２つの検査モードを備えている。簡易検査モードは、ユーザやサービスマンが、音声会議装置１の設置場所にて、スピーカユニットＳＰ１〜ＳＰ１２やマイクユニットＭＩＣ１０１〜ＭＩＣ１１６・ＭＩＣ２０１〜ＭＩＣ２１６の検査を行うことができるモードである。自動検査モードは、検査員が音声会議装置１の出荷時検査の際に、スピーカユニットＳＰ１〜ＳＰ１２やマイクユニットＭＩＣ１０１〜ＭＩＣ１１６・ＭＩＣ２０１〜ＭＩＣ２１６の検査を自動的に行うモードである。
【００５５】
まず、簡易検査モードについて説明する。ユーザやサービスマンは、操作部４を操作して、簡易検査モードを実行するように設定することで、このモードを開始することができる。音声会議装置１は、この簡易検査モードが設定されると、スピーカユニットＳＰ１〜ＳＰ１２から順番に１つずつ、テスト音声として例えば音階やメロディを放音させ、全マイクユニットＭＩＣ１０１〜ＭＩＣ１１６・ＭＩＣ２０１〜ＭＩＣ２１６で収音する。このとき、音声会議装置１は、音声を放音中のスピーカユニット番号を表示部７に表示させる。
【００５６】
音声会議装置１は、このように動作するので、ユーザやサービスマンは、各スピーカユニットＳＰ１〜ＳＰ１２から１つずつ順番に放音されるテスト音声を耳で聞いて確認するとともに、どのスピーカユニットから音声が放音されているかについて表示部７の表示を確認することで、各スピーカユニットの状態を確認することができる。また、上記のように、各スピーカユニットからは順次音階やメロディの異なる音が放音されるので、ユーザやサービスマンは、この音階やメロディを耳で聞いて確認することで、どのスピーカユニットに異常があるかを容易に把握できる。
【００５７】
また、この簡易検査モード時には、収音ビーム生成部１８１，１８２は、各マイクユニットが収音した音声信号のレベルを検出して、制御部１０に出力するように設定されている。図５は、マイクアレイの各マイクユニットの収音レベルを示す図である。図５には、一例としてスピーカユニットＳＰ６からテスト音声を放音させた際の各マイクユニットの収音レベルを示している。また、図５（Ｂ）にはスピーカユニットＭＩＣ１１０が故障した場合を示している。
【００５８】
図５（Ａ）に示すように、放音しているスピーカユニットと、各マイクユニットとの位置関係に応じて、各マイクユニットが収音した音声信号のレベルは、なだらかに（徐々に）変化する。しかし、いずれかのマイクユニットが故障して収音できていなかったり収音レベルが小さかったりした場合には、図５（Ｂ）に示すように、近隣のマイクユニットに対して特定のマイクユニットだけ収音レベルが極端に低下する。制御部１０は、このように他のマイクユニットと比べて大きく異なるために、収音レベルが予め設定した閾値よりも小さい場合には、簡易検査モードの終了後リセットされるまで表示部７にそのマイクユニットの番号を表示させる。したがって、ユーザやサービスマンは、各スピーカユニットＳＰ１〜ＳＰ１２から順番に再生される音階やメロディを確認して、音が聞こえなかったり小さかったりした場合には、表示部７の表示を確認することで、どのスピーカユニットの調子が悪いかを容易に把握できる。また、簡易検査モードが終了してから表示部７を確認することで、各マイクユニットの故障の有無を確認できる。
【００５９】
図６は、音声会議装置の簡易検査モードを説明するためのフローチャートである。音声会議装置１は、簡易検査モード時には、以下のように動作する。
【００６０】
ここで、テスト用信号発生回路３３−１〜３３−１２には、テスト音声の一例として音階の音声信号を出力するように設定されており、簡易検査モード時には、スピーカユニットＳＰ１〜ＳＰ１２は、順番にハ長調の音階で「ド、レ、ミ、ファ、ソ、ラ、シ、ド、レ、ミ、ファ、ソ」を順番に放音する。なお、テスト音声としては、例えば「ミ、ファ、ソ、ミ、レ、ド、レ、ミ、ソ、ミ、レ、ド」といったメロディを放音するように設定することも可能である。
【００６１】
音声会議装置１の制御部１０は、操作部４において簡易検査モードが設定されたことを検出すると、収音ビーム生成部１８１，１８２が、各マイクユニットＭＩＣ１０１〜ＭＩＣ１１６・ＭＩＣ２０１〜ＭＩＣ２１６で収音した音声信号のレベルを制御部１０に対して出力するように設定する（ｓ１）。また、制御部１０は、放音指向性制御部１３の各信号処理部３１（３１−１〜３１−１２）に対して制御信号を出力して、テスト用信号発生回路３３（３３−１〜３３−１２）を、Ｄ／Ａコンバータ１４（１４−１〜１４−１２）に接続するように、切り替えスイッチ３４（３４−１〜３４−１２）を切り替える（ｓ２）。そして、スピーカユニットを順番にテストするために、変数ｎを１に設定する（ｓ３）。
【００６２】
続いて、制御部１０は、テスト用信号発生回路３３（３３−１〜３３−１２）に対して、順番に制御信号を出力して、テスト用音声信号を生成させて、ｎ番目のスピーカユニットから一定時間テスト音声を放音させるとともに（ｓ４）、表示部７に制御信号を出力して、音声を放音させているスピーカユニットの番号または位置を表示させる（ｓ５）。
【００６３】
すなわち、制御部１０は、テスト用信号発生回路３３−１に制御信号を出力して、テスト用音声信号を生成させて、１番目のスピーカユニットＳＰ１から「ド」の音を、例えば１秒間放音させる（ｓ４）。また、制御部１０は、表示部７にスピーカユニットＳＰ１から放音中であることを表示させる（ｓ５）。
【００６４】
また、制御部１０は、全マイクユニットＭＩＣ１０１〜ＭＩＣ１１６・ＭＩＣ２０１〜ＭＩＣ２１６が収音した音声信号のレベルを確認して（ｓ６）、収音レベルが予め設定した閾値以下であるマイクユニットがある場合には（ｓ７）、表示部７にそのマイクユニットの番号または位置（例えば左から何番目であるか。）を表示させる（ｓ８）。
【００６５】
制御部１０は、一定時間（１秒間）が経過すると（ｓ９）、スピーカユニットＳＰ１からテスト音声を放音させるのを停止し（ｓ１０）、スピーカユニットＳＰ１２の放音が終了したので無ければ（ｓ１１）、変数ｎを１増加させて（ｓ１２）、ステップｓ４以降の処理を再度実行する。また、制御部１０は、スピーカユニットＳＰ１２の放音が終了したのであれば（ｓ１１）、処理を終了する。
【００６６】
以上のように、音声会議装置１では、操作部４を操作することで簡易検査モードを実行できるので、ユーザやサービスマンはスピーカユニットＳＰ１〜ＳＰ１２やマイクユニットＭＩＣ１０１〜ＭＩＣ１１６・ＭＩＣ２０１〜ＭＩＣ２１６の状態を、検査治具無しで容易に確認することができる。
【００６７】
次に、自動検査モードについて説明する。音声会議装置１は、操作部４で自動検査モードの実行を受け付けると、スピーカアレイを構成する全スピーカユニットの音声出力の有無と極性の確認、及びマイクアレイを構成する全マイクユニットの音声入力の有無と極性の確認を自動的に行う。そして、音声会議装置１は、表示部７に検査結果を表示させる。したがって、検査員は、音声会議装置１の全スピーカユニット及び全マイクユニットの動作試験を効率良く行うことができる。
【００６８】
図７は、音声会議装置の自動検査モードを説明するためのフローチャートである。音声会議装置１は、自動検査モード時には、以下のように動作する。
【００６９】
ここで、テスト用信号発生回路３３−１〜３３−１２には、一例として簡易検査モード時と同様に音階の音声信号を出力するように設定されており、スピーカユニットＳＰ１〜ＳＰ１２は、ハ長調の音階で「ド、レ、ミ、ファ、ソ、ラ、シ、ド、レ、ミ、ファ、ソ」を順番に放音する。
【００７０】
ここで、図２に示したように、音声会議装置１は、直線状に配置されたスピーカユニットＳＰ１〜ＳＰ１２に対して、マイクユニットＭＩＣ１０１〜ＭＩＣ１１６と、マイクユニットＭＩＣ２０１〜ＭＩＣ２１６と、が対称に配置されている構造である。例えば、マイクユニットＭＩＣ１０１とマイクユニットＭＩＣ２０１が、スピーカユニットＳＰ１〜ＳＰ１２に対して対称に配置されている。
【００７１】
そこで、本発明では、マイクユニットが誤って逆極性に接続されているのを検出するために、マイクユニットＭＩＣ１０１とマイクユニットＭＩＣ２０１、マイクユニットＭＩＣ１０２とマイクユニットＭＩＣ２０２、マイクユニットＭＩＣ１０３とマイクユニットＭＩＣ２０３、・・・、マイクユニットＭＩＣ１１６とマイクユニットＭＩＣ２１６にそれぞれ組分けして、各マイクユニットが収音した音声信号を各組毎に加算する。これにより、２つのマイクユニットの一方が逆極性に接続されている場合には、２つのマイクユニットから逆位相のテスト音声が収音されて、テスト音声は打ち消し合うので、マイクユニットの収音レベルが小さくなる。一方、２つのマイクユニットが共に正しく接続されている場合には、２つのマイクユニットから同位相のテスト音声が収音されるので、テスト音声の収音レベルは大きくなる。したがって、検査員は、表示部７の表示内容を確認することで、マイクユニットが逆極性に接続されているか否かを容易に検出できる。
【００７２】
音声会議装置１の制御部１０は、操作部４において自動検査モードが設定されたことを検出すると、収音ビーム生成部１８１，１８２が、各マイクユニットＭＩＣ１０１〜ＭＩＣ１１６・ＭＩＣ２０１〜ＭＩＣ２１６で収音した音声信号のレベルを制御部１０に対して出力するように設定する（ｓ２１）。また、制御部１０は、放音指向性制御部１３の各信号処理部３１（３１−１〜３１−１２）に対して制御信号を出力して、テスト用信号発生回路３３（３３−１〜３３−１２）を、Ｄ／Ａコンバータ１４（１４−１〜１４−１２）に接続するように、切り替えスイッチ３４（３４−１〜３４−１２）を切り替える（ｓ２２）。そして、スピーカユニットを順番にテストするために、変数ｎを１に設定する（ｓ２３）。
【００７３】
続いて、制御部１０は、テスト用信号発生回路３３（３３−１〜３３−１２）に対して、順番に制御信号を出力して、テスト用音声信号を生成させて、ｎ番目のスピーカユニットから一定時間テスト音声を放音させる（ｓ２４）。
【００７４】
すなわち、制御部１０は、テスト用信号発生回路３３−１に制御信号を出力して、テスト用音声信号を生成されて、１番目のスピーカユニットＳＰ１から「ド」の音を１秒間放音させる。
【００７５】
制御部１０は、全マイクユニットＭＩＣ１０１〜ＭＩＣ１１６・ＭＩＣ２０１〜ＭＩＣ２１６が収音した音声信号のレベルを確認して（ｓ２５）、全てのマイクユニットの収音レベルが予め設定した閾値以下である場合には（ｓ２６）、スピーカユニットからテスト音声が放音されていないので、内蔵する不図示のメモリにそのスピーカユニットの番号を記憶する（ｓ２７）。そして、テスト音声の放音を停止する（ｓ３３）。
【００７６】
また、制御部１０は、いずれかのマイクユニットの収音レベルが予め設定した閾値以下である場合には（ｓ２８）、そのマイクユニットは故障の可能性が高いので、内蔵する不図示のメモリにそのマイクユニットの番号を記憶する（ｓ２９）。
【００７７】
さらに、制御部１０は、テスト音声を放音しているスピーカユニットに対して対称に配置されている２つのマイクユニットが収音した音声信号を加算して、その結果、音声信号が予め設定した閾値以下になる場合には（ｓ３０）、一方のマイクユニットの接続が誤っている可能性が高いので、内蔵する不図示のメモリにそのマイクユニットの番号を記憶する（ｓ３１）。
【００７８】
制御部１０は、一定時間（１秒間）が経過すると（ｓ３２）、スピーカユニットＳＰ１からテスト音声を放音させるのを停止し（ｓ３３）、スピーカユニットＳＰ１２の放音が終了したので無ければ（ｓ３４）、変数ｎを１増加させて（ｓ３５）、ステップｓ２４以降の処理を再度実行する。また、制御部１０は、スピーカユニットＳＰ１２の放音が終了したのであれば（ｓ３４）、次の処理を行う。
【００７９】
制御部１０は、次の処理として、スピーカユニットを順番にテストするために、変数ｎを１に設定し（ｓ３６）、テスト用信号発生回路３３（３３−１〜３３−１２）に対して、２つずつ順番に制御信号を出力して、テスト用音声信号を生成させる（ｓ３７）。すなわち、制御部１０は、テスト用信号発生回路３３−１，３３−２に制御信号を出力して、テスト用音声信号を生成させて、スピーカユニットＳＰ１，ＳＰ２から「ド」の音を１秒間放音させる。
【００８０】
ここで、２つのスピーカユニットのうち、一方のスピーカユニットの接続が誤って逆極性になっている場合には、一方のスピーカユニットから放音される音声の位相が反転するため、２つのスピーカユニットとの間に配置されているマイクユニットで収音すると、左右から同じ音量で放音されるので、中央に定位する音は、左右の逆位相の音が打ち消し合って消えてしまうか、または、音声信号の収音レベルが非常に小さくなる。
【００８１】
一方、２つのスピーカユニットが共に正しい極性の場合には、２つのスピーカユニットから放音された音声が打ち消し合うことは無いので、２つのスピーカユニットから放音された音声信号の収音レベルは一定値以上となる。
【００８２】
そこで、音声会議装置１の制御部１０は、スピーカユニットが逆極性に接続されているのを検出するために、スピーカユニットＳＰ１とスピーカユニットＳＰ２の間に配置されているマイクユニットＭＩＣ１０１・ＭＩＣ２０１で収音した音声信号のレベルを確認する（ｓ３８）。
【００８３】
制御部１０は、２つのマイクユニットの収音レベルが予め設定した閾値以下の場合には（ｓ３９）、内蔵する不図示のメモリにそのスピーカユニットの番号を記憶する（ｓ４０）。
【００８４】
なお、制御部１０は、２つのマイクユニットの収音レベルが閾値よりも大きい場合には（ｓ３９）、スピーカユニットの番号を記憶しない。
【００８５】
制御部１０は、一定時間（１秒間）が経過すると（ｓ４１）、スピーカユニットＳＰ１・ＳＰ２からテスト音声を放音させるのを停止し（ｓ４２）、テスト音声を放音させていたのがスピーカユニットＳＰ１１・ＳＰ１２で無ければ（ｓ４３）、変数ｎを１増加させて（ｓ４４）、ステップｓ３７以降の処理を再度実行する。
【００８６】
一方、制御部１０は、テスト音声を放音させていたのがスピーカユニットＳＰ１１・ＳＰ１２であれば（ｓ４３）、表示部７に、異常があったマイクユニットやスピーカユニットの番号または位置を表示させる（ｓ４５）。そして、自動検査処理を終了する。
【００８７】
このように、音声会議装置１では、自動的にマイクユニットとスピーカユニットの状態及び極性を検査することができるので、非常に効率良く出荷処理を行うことができる。
【００８８】
また、検査員は、自動検査後に、スピーカユニットの状態を再確認するために、簡易検査モードを実行することで、各スピーカユニットがテスト音声を放音可能であるか否かを耳で確認することができる。
【００８９】
以上のように、音声会議装置１は、簡易検査モードを実行すると、各スピーカユニットから順番に音階やメロディを再生するので、ユーザやサービスマンがスピーカユニットやマイクユニットの状態を確認する場合に、容易にスピーカユニットの状態を確認することができる。また、スピーカユニットに放音させた音声をマイクユニットで収音することで、マイクユニットの状態も確認できる。
【００９０】
また、音声会議装置１は、自動検査モードを実行した場合には、各スピーカユニットや各マイクユニットの結線状態だけでなく、極性についても検査できるので、効率良く出荷検査を行うことができる。
【図面の簡単な説明】
【００９１】
【図１】音声会議装置の外観を表す三面図である。
【図２】図１に示す音声会議装置のスピーカユニット配列及びマイクユニット配列を示した図である。
【図３】音声会議装置の機能ブロック図である。
【図４】スピーカユニットにテスト音声を入力するテスト回路の構成を示すブロック図である。
【図５】マイクアレイの各マイクユニットの収音レベルを示す図である。
【図６】音声会議装置の簡易検査モードを説明するためのフローチャートである。
【図７】音声会議装置の自動検査モードを説明するためのフローチャートである。
【符号の説明】
【００９２】
１−音声会議装置    ２−筐体    ３−脚部    ４−操作部    ５−発光部    ７−表示部    １０−制御部    １１−入出力コネクタ    １２−入出力Ｉ／Ｆ    １３−放音指向性制御部    １４−Ｄ／Ａコンバータ    １５−放音用アンプ    １６−収音用アンプ    １７−Ａ／Ｄコンバータ    １９−収音ビーム選択部    ２０−エコーキャンセル部    ２１−エコーキャンセラ    ３１−信号処理部    ３２−ビーム制御ブロック    ３３，４２−テスト用信号発生回路    ３４−スイッチ    ４１−ビーム制御ブロック    １８１，１８２−収音ビーム生成部    ４１１−遅延処理部    ４１２−ゲイン調整部
【図１】
2007318551.tif 000003
【図２】
2007318551.tif 000004
【図３】
2007318551.tif 000005
【図４】
2007318551.tif 000006
【図５】
2007318551.tif 000007
【図６】
2007318551.tif 000008
【図７】
2007318551.tif 000009